(57)【要約】【課題】  装着方法が容易で、かつむくみを除去できると共に美的外観上も優れてたおしゃれサポータを得る。【解決手段】  足首および足部に巻き付けて使用するバンド状のサポータにおいて、トーションレースを用い、面ファスナーで固定されることを特徴とする、おしゃれサポータである。【選択図】図２
0003121843.tif 000002
【実用新案登録請求の範囲】
【請求項１】
足首および足部に巻き付けて使用するバンド状のサポータにおいて、
所定の長さのトーションレースと、
前記トーションレースの一方の端部に固着されたオス面ファスナーと、
前記トーションレースの他方の端部の裏側に固着されたメス面ファスナと
を有することを特徴とするおしゃれサポータ。
【請求項２】
前記トーションレースは、任意の色の網目状で、かつ伸縮する素材であることを特徴とする請求項１記載のおしゃれサポータで任意の色請求項1記載のサポータにおいて、面フ
【請求項３】
前記オス面ファスナーは、前記メス面ファスナーに対して３倍〜５倍の長さで固着されていることを特徴とする請求項1又は２記載のおしゃれサポータ。
【考案の詳細な説明】
【技術分野】
【０００１】
本考案は、バンド状のトーションレースを用いた、足部および足首に巻き付けて使用する、おしゃれサポータに関する。
【背景技術】
【０００２】
下肢のむくみは、血液や細胞間液といった体液環流の低下によって生じる。このむくみは、特定の疾患における病状として現れるものを除き、健常人の生活上でも生じることは少なくない。
【０００３】
動脈により下肢に血液が送られ、末梢の毛細血管網で静脈に還流し、中枢に戻るにしたがって、大きな静脈に統合される。また血液中の水分は、末梢血管の粗な部分から浸出し、細胞液や細胞間液として循環する。
【０００４】
これら体液の多くは静脈によって中枢へ還流するが、その一部はリンパ管によっても還流する。血管やリンパ管といった中枢部への還流を担う脈管において、その還流を促進するのは筋ポンプ作用による。例えば歩行によって、下肢の筋が収縮すると、筋長が短縮すると同時に筋径が膨隆するため、近傍の脈管を圧迫して中枢部への還流を促進する機能である。
【０００５】
また、温度による脈管径の変化も還流機能に関与する。温度が高ければ脈管径は拡大し還流は促進され、低ければ収縮して還流を阻害する。したがって下肢体温が下がれば、むくみが生じる。
【０００６】
体温産生の大部分を担う筋量は、男性よりも女性の方が少ないため、一般に女性は冷え性が多く、実際、足の冷え、つまり下肢体温の低下を訴える女性は多い。このため脈管径が収縮し、むくみを生じる。またデスクワークのように椅子に座ったままの姿勢で長時間仕事を続ければ、下肢の運動による筋ポンプ作用がはたらかないため、むくみを生じることになる。
【０００７】
これら体液のうっ滞による下肢のむくみを解消するためには、当該部位に対して外圧を加える方法が知られている。例えば、特許文献1のように、医学的治療においても圧迫ストッキングや治療用サポータを用いて下腿部、または下肢全体に一定の圧力を加えて、末梢にうっ滞した体液を中枢に還流させる方法がある。
【０００８】
一方、医療品以外でも、この原理を応用する形で、部分的に圧迫を加えるサポータが考案されており、例えば、特許文献2および特許文献3のように、下腿部のみに圧力を加えるものがある。また特許文献4のように、足部から下腿全体までのものや、特許文献5のように、足部から膝までを覆うもの、特許文献6のように、足部から下肢および骨盤部まで覆うものがある。
【０００９】
バンド状の形態をもって、むくみを解消しようとするものとして、例えば特許文献7のように、足部から下肢全体を巻き付けて使用するものがある。これは四肢の手術で使用されている駆血帯と同じ仕組みである。
【特許文献１】特開2005-232664
【特許文献２】特開2001-245919
【特許文献３】実案3091572
【特許文献４】特開平11-131303
【特許文献５】特開2004-256941
【特許文献６】特開2000-290806
【特許文献７】実案3118611
【考案の開示】
【考案が解決しようとする課題】
【００１０】
しかしながら、従来の構造による、むくみ解消のためのサポータは、何れも寸法が大きく、装着方法が複雑であったり、取扱いが不便なものもある。また美的外観上も優れているとはいえないため、本考案によって解決しようとするものである。
【課題を解決するための手段】
【００１１】
請求項1の考案は、足首および足部に巻き付けて使用するバンド状のサポータにおいて、所定の長さのトーションレースと、前記トーションレースの一方の端部に固着されたオス面ファスナーと、前記トーションレースの他方の端部の裏側に固着されたメス面ファスナとを備えることを要旨とする。
【考案の効果】
【００１２】
寸法が大きく、以下のように、本考案によればむくみの愁訴を解消すると共に、美的外観にすぐれているので、人目をはばかって使用を躊躇することになる。
【考案を実施するための最良の形態】
【００１３】
図１は本考案のおしゃれサポータの外観図である。本考案は、図1のように、バンド状の所定の長さのトーションレースを用いた「おしゃれサポータ１」であり、小型軽量である。
【００１４】
また、女性に好まれるトーションレース２（網目）を使用しているため、美的外観も優れており、従来品のように衣服の下に隠して使用するばかりでなく、図2のように、足首に巻きつけて意図的に見えるように使用することにより、装飾品のようなおしゃれ感も演出できるものである。
【００１５】
さらにトーションレース２の両端に縫い付けられた面ファスナー（オス面ファスナー３とメス面ファスナー４とからなる）によって、足部および足首の任意の部位で固定を行うことができるため、薄くかさばらない。
【００１６】
また、面ファスナーのメス面ファスナー４は、オス面ファスナー３に対して長くなっており、身体寸法に応じた調整や、伸縮性による張力の調整も可能となっている。さらに、使用状態によって面ファスナーの接着部位を選択して、外からは見えないようにすることもできる。
【００１７】
また、面ファスナーは、トーションレース２の一方の端部にオス面ファスナー３を固着し、トーションレース２の他方の端部の裏側に、メス面ファスナー２を固着している。
【００１８】
なお、本考案に用いているトーションレース２とは、トーションレース機で作ったバンド状の縒り組織または組み模様のレースで、適度の伸縮性を有するものが好ましい。
【００１９】
次に、図２のように足首に装着した場合の、むくみを解消する効果を図３を用いて説明する。なお、図３（ａ）は踵接地時、図３（ｂ）は足底接地時、図３（ｃ）は踵離床時を示している。
【００２０】
図３（ａ）のように、歩行周期中の踵接地時には、足部に巻き付けた部分の伸び方向は（ア）および（イ）のようになり、足首に巻き付けた部分はウおよびエのように伸びて、体液還流はオのように促進される。
【００２１】
次に図３（ｂ）のように、足底が床面に着くと、足部に巻き付けた部分の方向は（カ）および（キ）のように縮み、足首に巻き付けた部分の方向は、（ク）および（ケ）のように縮み、体液還流は（コ）のように促進される。続いて図３（ｃ）のように、踵が挙がると、足部に巻き付けた部分の方向は、（サ）および（シ）のように縮み、足首に巻き付けた部分の方向は（ス）および（セ）のように伸びて、体液還流は（ソ）のように促進される。つまり筋ポンプと近似した役割を果たし、生体本来の体液循環を促進する。従来品は一方的に圧力を加えるのみであり、この交互圧力作用が新規性を有しているところである。
【００２２】
一方、図1のように、伸縮性のあるベルト状のトーションレース２は、厚みが0.5〜3mm、幅が20〜80mm、長さは300〜700mmの範囲で、トーションレース２の一端の表面には面ファスナーオス3を、他端の裏面には面ファスナーメス2を縫い付けている。
【００２３】
トーションレース２の伸縮性は、日本工業規格JIS L 1096-1999一般織物試験方法による、8.14伸縮織物の伸縮性のうち、8.14.1伸長率、b）B法（定荷重法）によれば、伸縮率50〜150%の範囲とする。
【００２４】
面ファスナーは、非伸縮性または伸縮性の何れでもよいが、好ましくは伸縮性面ファスナーを使用する。また面ファスナーオス3の形状は四角形で、寸法はトーションレース２の横幅よりも小さくする。面ファスナーメス2の形状は四角形で、寸法はトーションレース２の横幅よりも小さく、長さは50〜200mmの範囲とする。メス面ファスナーの長さは、オス面ファスナーに対して３〜４倍が好ましい。
【実施例】
【００２５】
そして、実際に使用する場合は、図4（ａ）のように、足背部で交差するように装着することや、図4（ｂ）のように足首からふくらはぎに巻き付けて装着したり、図4（ｃ）のように足部に巻き付けて土踏まずをカバーするように装着することもできるなど、使用者の快適と思う装着方法が可能である。また、図４で、（ａ）は足背部で交差、（ｂ）は足首からふくらはぎに巻き付け、（ｃ）は土踏まずをカバーする例を示した図である。
【００２６】
また、トーションレースの色は、白、赤、黒、緑、黄色等であってもよいし、混合したものであってもよい。
【図面の簡単な説明】
【００２７】
【図１】本考案のおしゃれサポータの外観図である。
【図２】本考案を足背部で交差させて装着した斜図である。
【図３】本考案を足背部で交差させて装着し、歩行中におけるトーションレースの伸縮方向と、促進される体液還流方向を示した図である。
【図４】本考案の装着方法例の説明図である。
【符号の説明】
【００２８】
１  おしゃれサポータ
２  トーションレース
３  オス面ファスナー
４  メス面ファスナー
【図１】
0003121843.tif 000003
【図２】
0003121843.tif 000004
【図３】
0003121843.tif 000005
【図４】
0003121843.tif 000006
【手続補正書】
【提出日】平成18年3月17日(2006.3.17)
【手続補正１】
【補正対象書類名】実用新案登録請求の範囲
【補正対象項目名】全文
【補正方法】変更
【補正の内容】
【実用新案登録請求の範囲】
【請求項１】
足首および足部に巻き付けて使用するバンド状のサポータにおいて、
所定の長さのトーションレースと、
前記トーションレースの一方の端部に固着されたオス面ファスナーと、
前記トーションレースの他方の端部の裏側に固着されたメス面ファスナーと
を有することを特徴とするおしゃれサポータ。
【請求項２】
前記トーションレースは、任意の色の網目状で、かつ伸縮する素材であることを特徴とする請求項１記載のおしゃれサポータ。
【請求項３】
前記オス面ファスナーは、前記メス面ファスナーに対して３倍〜５倍の長さで固着されていることを特徴とする請求項１又は２記載のおしゃれサポータ。
【手続補正２】
【補正対象書類名】明細書
【補正対象項目名】全文
【補正方法】変更
【補正の内容】
【考案の詳細な説明】
【技術分野】
【０００１】
本考案は、バンド状のトーションレースを用いた、足部および足首に巻き付けて使用する、おしゃれサポータに関する。
【背景技術】
【０００２】
下肢のむくみは、血液や細胞間液といった体液環流の低下によって生じる。このむくみは、特定の疾患における病状として現れるものを除き、健常人の生活上でも生じることは少なくない。
【０００３】
動脈により下肢に血液が送られ、末梢の毛細血管網で静脈に還流し、中枢に戻るにしたがって、大きな静脈に統合される。また血液中の水分は、末梢血管の粗な部分から浸出し、細胞液や細胞間液として循環する。
【０００４】
これら体液の多くは静脈によって中枢へ還流するが、その一部はリンパ管によっても還流する。血管やリンパ管といった中枢部への還流を担う脈管において、その還流を促進するのは筋ポンプ作用による。例えば歩行によって、下肢の筋が収縮すると、筋長が短縮すると同時に筋径が膨隆するため、近傍の脈管を圧迫して中枢部への還流を促進する機能である。
【０００５】
また、温度による脈管径の変化も還流機能に関与する。温度が高ければ脈管径は拡大し還流は促進され、低ければ収縮して還流を阻害する。したがって下肢体温が下がれば、むくみが生じる。
【０００６】
体温産生の大部分を担う筋量は、男性よりも女性の方が少ないため、一般に女性は冷え性が多く、実際、足の冷え、つまり下肢体温の低下を訴える女性は多い。このため脈管径が収縮し、むくみを生じる。またデスクワークのように椅子に座ったままの姿勢で長時間仕事を続ければ、下肢の運動による筋ポンプ作用がはたらかないため、むくみを生じることになる。
【０００７】
これら体液のうっ滞による下肢のむくみを解消するためには、当該部位に対して外圧を加える方法が知られている。例えば、特許文献1のように、医学的治療においても圧迫ストッキングや治療用サポータを用いて下腿部、または下肢全体に一定の圧力を加えて、末梢にうっ滞した体液を中枢に還流させる方法がある。
【０００８】
一方、医療品以外でも、この原理を応用する形で、部分的に圧迫を加えるサポータが考案されており、例えば、特許文献2および特許文献3のように、下腿部のみに圧力を加えるものがある。また特許文献4のように、足部から下腿全体までのものや、特許文献5のように、足部から膝までを覆うもの、特許文献6のように、足部から下肢および骨盤部まで覆うものがある。
【０００９】
バンド状の形態をもって、むくみを解消しようとするものとして、例えば特許文献7のように、足部から下肢全体を巻き付けて使用するものがある。これは四肢の手術で使用されている駆血帯と同じ仕組みである。
【特許文献１】特開2005-232664
【特許文献２】特開2001-245919
【特許文献３】実案3091572
【特許文献４】特開平11-131303
【特許文献５】特開2004-256941
【特許文献６】特開2000-290806
【特許文献７】実案3118611
【考案の開示】
【考案が解決しようとする課題】
【００１０】
しかしながら、従来の構造による、むくみ解消のためのサポータは、何れも寸法が大きく、装着方法が複雑であったり、取扱いが不便なものもある。また美的外観上も優れているとはいえないため、本考案によって解決しようとするものである。
【課題を解決するための手段】
【００１１】
請求項１の考案は、足首および足部に巻き付けて使用するバンド状のサポータにおいて、所定の長さのトーションレースと、前記トーションレースの一方の端部に固着されたオス面ファスナーと、前記トーションレースの他方の端部の裏側に固着されたメス面ファスナーとを備えることを要旨とする。
【考案の効果】
【００１２】
以上のように、本考案によればむくみの愁訴を解消すると共に、美的外観にすぐれているので、人目をはばかって使用を躊躇することもなくなる。
【考案を実施するための最良の形態】
【００１３】
図１は本考案のおしゃれサポータの外観図である。本考案は、図1のように、バンド状の所定の長さのトーションレースを用いた「おしゃれサポータ１」であり、小型軽量である。
【００１４】
また、女性に好まれるトーションレース２（網目）を使用しているため、美的外観も優れており、従来品のように衣服の下に隠して使用するばかりでなく、図2のように、足首に巻きつけて意図的に見えるように使用することにより、装飾品のようなおしゃれ感も演出できるものである。
【００１５】
さらにトーションレース２の両端に縫い付けられた面ファスナー（オス面ファスナー３とメス面ファスナー４とからなる）によって、足部および足首の任意の部位で固定を行うことができるため、薄くかさばらない。
【００１６】
また、面ファスナーのメス面ファスナー４は、オス面ファスナー３に対して長くなっており、身体寸法に応じた調整や、伸縮性による張力の調整も可能となっている。さらに、使用状態によって面ファスナーの接着部位を選択して、外からは見えないようにすることもできる。
【００１７】
また、面ファスナーは、トーションレース２の一方の端部にオス面ファスナー３を固着し、トーションレース２の他方の端部の裏側に、メス面ファスナー２を固着している。
【００１８】
なお、本考案に用いているトーションレース２とは、トーションレース機で作ったバンド状の縒り組織または組み模様のレースで、適度の伸縮性を有するものが好ましい。
【００１９】
次に、図２のように足首に装着した場合の、むくみを解消する効果を図３を用いて説明する。なお、図３（ａ）は踵接地時、図３（ｂ）は足底接地時、図３（ｃ）は踵離床時を示している。
【００２０】
図３（ａ）のように、歩行周期中の踵接地時には、足部に巻き付けた部分の伸び方向は（ア）および（イ）のようになり、足首に巻き付けた部分はウおよびエのように伸びて、体液還流はオのように促進される。
【００２１】
次に図３（ｂ）のように、足底が床面に着くと、足部に巻き付けた部分の方向は（カ）および（キ）のように縮み、足首に巻き付けた部分の方向は、（ク）および（ケ）のように縮み、体液還流は（コ）のように促進される。続いて図３（ｃ）のように、踵が挙がると、足部に巻き付けた部分の方向は、（サ）および（シ）のように縮み、足首に巻き付けた部分の方向は（ス）および（セ）のように伸びて、体液還流は（ソ）のように促進される。つまり筋ポンプと近似した役割を果たし、生体本来の体液循環を促進する。従来品は一方的に圧力を加えるのみであり、この交互圧力作用が新規性を有しているところである。
【００２２】
一方、図1のように、伸縮性のあるベルト状のトーションレース２は、厚みが0.5〜3mm、幅が20〜80mm、長さは300〜700mmの範囲で、トーションレース２の一端の表面には面ファスナーオス3を、他端の裏面には面ファスナーメス2を縫い付けている。
【００２３】
トーションレース２の伸縮性は、日本工業規格JIS L 1096-1999一般織物試験方法による、8.14伸縮織物の伸縮性のうち、8.14.1伸長率、b）B法（定荷重法）によれば、伸縮率50〜150%の範囲とする。
【００２４】
面ファスナーは、非伸縮性または伸縮性の何れでもよいが、好ましくは伸縮性面ファスナーを使用する。また面ファスナーオス3の形状は四角形で、寸法はトーションレース２の横幅よりも小さくする。面ファスナーメス2の形状は四角形で、寸法はトーションレース２の横幅よりも小さく、長さは50〜200mmの範囲とする。メス面ファスナーの長さは、オス面ファスナーに対して３〜４倍が好ましい。
【実施例】
【００２５】
そして、実際に使用する場合は、図4（ａ）のように、足背部で交差するように装着することや、図4（ｂ）のように足首からふくらはぎに巻き付けて装着したり、図4（ｃ）のように足部に巻き付けて土踏まずをカバーするように装着することもできるなど、使用者の快適と思う装着方法が可能である。また、図４で、（ａ）は足背部で交差、（ｂ）は足首からふくらはぎに巻き付け、（ｃ）は土踏まずをカバーする例を示した図である。
【００２６】
また、トーションレースの色は、白、赤、黒、緑、黄色等であってもよいし、混合したものであってもよい。
【図面の簡単な説明】
【００２７】
【図１】本考案のおしゃれサポータの外観図である。
【図２】本考案を足背部で交差させて装着した斜図である。
【図３】本考案を足背部で交差させて装着し、歩行中におけるトーションレースの伸縮方向と、促進される体液還流方向を示した図である。
【図４】本考案の装着方法例の説明図である。
【符号の説明】
【００２８】
１  おしゃれサポータ
２  トーションレース
３  オス面ファスナー
４  メス面ファスナー